(57)【要約】【課題】  少数の単純部品を伴う、カバーレンズの機能およびレンズ調整機構を含む、改良されたカメラアセンブリを提供する。【解決手段】  カメラアセンブリは、光軸を形成するサポートを有する。位置決定装置は、サポートにより保持される。位置決定装置は、光軸上に中央が位置する開口部を有している。位置決定装置は、光軸の周りで、サポートに対する多数の異なる方向へ旋回可能である。カバーガラスは、位置決定装置の外部に、回転可能に支持される。カバーガラスは、開口部上に配列されたウィンドウ、およびそのウィンドウに接合された調整装置を有している。カバーガラスを回転させると、位置決定装置およびサポートのうちの1つが回転する。【選択図】図３
2004354992.tif 000002
【特許請求の範囲】
【請求項１】
光軸を形成するサポートと、
前記サポートで保持され、前記光軸上の中心に位置する開口部を有し、前記光軸の周りで、前記サポートに対して多数の異なる方向に旋回可能な位置決定装置と、
前記位置決定装置の外部に回転可能に支持され、前記開口部上に配列されたウィンドウおよび前記ウィンドウに結合した調整装置を有し、回転すると、前記位置決定装置およびサポートのうちの1つを回転させるカバーガラスとを含んでいるカメラアセンブリ。
【請求項２】
光軸を形成するマウントと、
前記マウントから前方に伸び、前記光軸に整列した中央経路、および前記中央経路から外向きに放射状に配列されたアクセスウエイを有するガイドと、
前記ガイドに取り付けられ、前記光軸の周りで旋回可能で、前記マウントに向かって傾斜した斜面および前記アクセスウエイに整列した迫持台を有する走行止めと、
前記斜面により区切られた伸長位置と、前記走行止めに対して離れた収縮位置との間の前記中央経路に沿って可動であるレンズバレルと、
前記ガイド上に取り付けられ、前記経路にわたって配列されたウィンドウおよび前記ウィンドウに結合し、かつ前記迫持台へ前記アクセスウエイを貫いて延びる調整装置を有し、前記調整装置を伴う前記光軸および係合している前記迫持台の周りで旋回可能なカバーガラスとを含んでいて、
前記カバーガラスを回転させると、前記伸長位置を、前記マウントに対し、前記光軸に沿って再配置させるカメラアセンブリ。
【請求項３】
光軸を形成するマウントと、
前記マウントから前方に延び、アクセスウエイを有する前向きリムを有するガイドと、
前記前向きリムにマウントされ、前記ガイドに対して内部に配列され、かつ前記サポートに向かって傾斜した少なくとも1つの斜面を有するスキッドを有し、前記光軸の周りで前記ガイドに対して旋回可能な走行止めと、
レンズバレルおよび前記スキッドの係合により定められる伸長位置と収縮位置との間の前記光軸に沿って前記マウントに対して可動なレンズバレルと、
前記ガイド上に取り付けられ、前記開口部上に配列されたウィンドウ、および前記ウィンドウに結合した前記アクセスウエイ内に配列された調整装置を有し、前記カバーガラスは、前記走行止めと係合して、前記光軸の周りで旋回可能なカバーガラスとを含んでいるカメラアセンブリ。
【請求項４】
光軸を形成するマウントと、
前記マウントから前方に延び、前向きリムを有し、中央経路を囲み、前記前向きリムを貫いて伸び、かつ前記中央経路から外向きに放射状に配列されたアクセスウエイを有する、ガイドと、
前記中央経路を囲み、前記アクセスウエイ内に配列された迫持台を有し、前記ガイドの内部に配列され、かつ離れ、前記サポートに向かって等しく傾いた多数の斜面を有する走行止めと、
前記中央経路内に配列された主要部分、および前記主要部分から外向きに突出し、かつ前記伸長位置内のそれぞれの前記斜面に係合した多数のトラックフォロアを有し、前記マウントに対する伸長位置と収縮位置との間の前記光軸に沿って可動な前記レンズバレルとを含んでいるカメラアセンブリ。
【発明の詳細な説明】
【技術分野】
【０００１】
本発明は、写真および写真機材に関し、とりわけ、カバーガラスレンズ調整装置を有するカメラアセンブリに関する。
【背景技術】
【０００２】
比較的高価なレンズを、比較的安価な外部透明カバーガラスで覆うことは、写真撮影における長い間の習慣となっている。カバーガラスには、カメラに着脱可能なものも、永久的に取付可能なものもある。
【０００３】
製造段階でのレンズの焦点調整機構が、長い間利用可能となっている。これらの機構は、一般に、固定焦点レンズ位置、または焦点合わせ可能なレンズの無限位置の調整に用いられている。通常、これらの機構は、製造または修理の間に、他の部分に対してある部分を移動させる外部ツールを用いて調整される。ツールは、その後取り外される。特許文献１および特許文献２は、ねじ回しなどを利用する調整機構を開示している。特許文献３は、専用のY字形ツールおよび第2のツールを必要とする。特許文献４は、ピニオン、シャフト、およびＴハンドルを有するツールの使用を教示している。
【０００４】
これらのカメラアセンブリの調整機構は、ツールが取り外された後も調整位置を保有する何らかの備えを設けている。特許文献４のカメラアセンブリでは、摩擦が利用されている。特許文献３は、弾性部材のバイアスに抗して焦点調整する、カメラアセンブリを開示している。調整が完了すると、それぞれの部分が一緒に接着されることが出来るまで、弾性部材はその調整を保持している。特許文献１および特許文献２では、ボルトが利用されている。
【特許文献１】米国特許第4,910,544号明細書
【特許文献２】米国特許第4,764,783号明細書
【特許文献３】米国特許第5,613,168号明細書
【特許文献４】米国特許第3,220,308号明細書
【発明の開示】
【発明が解決しようとする課題】
【０００５】
このように、少数の単純部品を伴う、カバーレンズの機能およびレンズ調整機構を含む、改良されたカメラアセンブリの提供が望まれている。
【課題を解決するための手段】
【０００６】
本発明は、請求項により定義される。本発明は、より広い態様では、光軸を形成するサポートを有するカメラアセンブリを提供する。位置決定装置は、サポートにより保持される。位置決定装置は、光軸上の中心に位置した開口部を有している。位置決定装置は、光軸の周りで、サポートに対して多数の異なる方向に旋回可能である。カバーガラスは、位置決定装置の外部に回転可能に支持されている。カバーガラスは開口部にわたって配列されたウィンドウ、およびそのウィンドウに結合された調整装置を有している。カバーガラスを回転させると、位置決定装置およびサポートのうちの1つが回転する。
【発明の効果】
【０００７】
本発明の効果は、カバーガラスおよびレンズ調整機能が、少数の単純部品で提供される、改良されたカメラアセンブリを提供することである。
【発明を実施するための最良の形態】
【０００８】
本発明の、上記、および他の特徴、および目的と、それらを達成する方法は、以下の添付図面に関連した、本発明の実施例の説明を参照することにより、より明瞭となり、本発明自体もよりよく理解されるものとなるだろう。
【０００９】
「固定された」という用語および同様の用語は、本願明細書内では、不動および不変状態にある物理的位置または関係の意味で用いられている。「カメラアセンブリ」という用語は、ここでは、完成されたカメラ、または、完成したカメラを形成するよう他の部品と共に組み立て可能な、カメラの未完成サブユニットを指すために用いられている。「カメラアセンブリ」という用語は、完成された使い捨てカメラ、および使い捨てカメラの半組立品を含んでいる。「カメラアセンブリ」という用語における「カメラ」の使用は、特定のカメラアセンブリの使用の可能性を制限するものではない。例えば、レンズシステムを含む「カメラアセンブリ」は、同一アセンブリが双眼鏡の部品として用いられる場合も含んでいる。便宜上、カメラアセンブリは、一般に、完成されたカメラ内のそれぞれの機能に関連した、より記述的な名称によって示されている。
【００１０】
ここで、特に図1から図4に戻ると、カメラ10は、前後カバー16、18を有するシェル内に保持された、フレームアセンブリ12を有している。フレームアセンブリ12は、多数の他のカメラ構成要素が取り付けられる、フレーム20を含んでいる。本願明細書に開示された実施例では、これらの構成要素のうちの1つは、フレーム20に結合されたサポート24を含む、レンズモジュール22である。
【００１１】
サポート24は、マウント26およびマウント26に結合されるガイド28を有している。サポート24は、フレーム20に永久的に取り付け可能、または、逆に取り外し可能である。使い捨てカメラのリサイクルには、後者の方が都合がよい。取付方法は重大ではない。サポート24は、フック30と適合した留め具(図示せず)により、フレーム20に掛けることが出来る。また、他タイプのファスナも使用可能である。サポート24はまた、フレーム20に接着可能、または摩擦嵌合、または他の手段により保持可能である。フレーム20およびサポート24、またはフレーム20およびマウント26は、所望により、ワンピースプラスチック注入成形として作成可能であってもよいし、または、それぞれがワンピースプラスチック注入成形であってもよい。
【００１２】
カメラ10は、画像をキャプチャして格納する、キャプチャユニット32を含んでいる。使用するキャプチャユニット32のタイプは重要ではない。キャプチャユニット32は、写真用フィルム上に画像をキャプチャ可能である。この場合、フレーム20に1対の相対するチャンバ(図では個々には特定されていない)があれば、便利である。フィルムは、チャンバからチャンバまで、キャプチャ平面(図示せず)を横切って巻き取られる。フィルム搬送34など、フィルム関連機構（図示せず）は、当業者によく知られた方法で提供可能である。
【００１３】
電子キャプチャユニットで、写真用フィルムは、電子画像化装置(図示せず)により置き換えられる。画像化装置は、電子メモリを含む制御システムによって制御される。キャプチャされた画像は、メモリに格納され、制御システムによって操作可能である。こうした電子キャプチャユニットの特徴は、当業者によく知られている。
【００１４】
当業者によく知られているように、カメラ10には、フラッシュユニット36および他のカメラ部品も含ませることが出来る。フラッシュユニット36および他の構成要素は、フレーム20に取り付けられるか、またはフレーム20とカバー16、18との間に保持される。
【００１５】
サポート24は光軸38を形成する。ガイド28は、マウント26から光軸38に沿って前方に伸び、光軸38と整列された中央経路40を囲んでいる。「囲む」という用語およびそれに類する用語は、広い意味で用いられており、円形のものや、隙間も開口部もない構造を含意するものではなく、さらにそれに限定されるものでもない。一般に、本願明細書で議論する実施例では、中央経路40は、円形断面を有している。同様の考察が、他の形状で同様の機構を有する実施例にも適用されることは、理解されるであろう。ガイド28は、フレーム20に隣接する後向きリム42、および後向きリム42の反対側にある前向きリム44に隣接している。
【００１６】
マウント26は、ガイド28を受け取る、前方に面した浅いカップ(図3から図7参照)である。マウント26の中央開口部46は、所望されない光をブロックすることによりフレアを減少させる、マスキング構造48で縁取られていてもよい。ガイド28は、マウント26に、スナップにより、または接着により、または他の固定方法により固定される。マウント26およびガイド28は、2つの部品として提供されるのが好都合であるが、単一部品として提供されてもよい。
【００１７】
レンズバレル50は、収縮位置から伸張位置まで、光軸38に対して整列した中央経路40に沿い、多くの中間的位置を通って両方向に可動である。その運動は直線的であり、レンズバレル50が光軸38の周りで回転するのを、ガイド28が防止するのが好ましい。レンズバレル50は、レンズバレル50の伸長位置および収縮位置において、ガイド28内に完全に配置されてもよく、伸長位置、または伸長位置および収縮位置の双方において、ガイド28から突出していてもよい。本願明細書では、本発明は、一般にレンズバレル50が、伸長位置および収縮位置で、ガイド28内に完全に配置される実施例に関して説明されている。ガイド28は、光軸38に整列されたカバー開口部52を除いて、前部カバー16に封入される。代替的に、レンズバレル50は、伸長位置、または伸長位置および収縮位置双方において、ガイド28から突出していてもよい。この場合には、前部カバー16内の開口部52の縁が、レンズバレル50を囲んでいる(図示せず)。
【００１８】
ここで図8から図12および図33から図35を参照すると、レンズバレル50の伸長位置および収縮位置は、それぞれ前部レスト54および後部レスト56により区切られている。レスト54、56は、光軸38に沿って互いに距離を置いて離れており、それぞれ中央経路40と接している。レンズバレル50は、第1、第2の接触面58、60を有している。伸長位置では、第1の接触面58が、前部レスト54に接触している。収縮位置では、第2の接触面60が、後部レスト56に接触している。
【００１９】
図8から図10および図33から図35は、前部レスト54の1つの実施例を示している。図11、図12は、他の実施例を示している。後部レスト56は、所望により、同一でも異なっていてもよい。図8から図10および図33から図35の実施例では、前部レスト54は、ガイド28の前向きリム44に接合された走行止め62aの内面の一部分である。 (この実施例は以下に詳述する。)
【００２０】
図11、図12の実施例では、前部レスト54は、前向きリム44の1組の内向きに伸びた突出部またはポスト64である。所望であれば、調整可能なレストを提供するために、前向きリム44内のねじ込み式開口部を通して延びるボルトも代替的に使用可能である。図11、図12では、レンズバレル50の第1の接触面58は平坦である。図33から図35に示されるように、第1の接触面58は、代替的に、ピンまたは他の構造(以下で詳述)上に提供可能である。前向きリム44および第1の接触面58の一方または双方は、突出部などを有してもよく、または一方または双方が平坦であってもよい。
【００２１】
第1および第2の接触面58、60と、それぞれ前向きリム44および後向きリム42との間の接触は、三脚式、すなわち3点接触が好ましい。例えば、3つの突出部64は、図11、図12の実施例に提供可能である。3点接触は、いかなるぐらつきの危険も減少させ、さらに接触領域も減少させる。これにより、生産段階での正確な部品整列がより簡単になる。
【００２２】
図1から図3および図8から図10を参照すると、いくつかの実施例では、ガイド28上にツイストリング66が取り付けられている。ツイストリング66は、ガイド28を囲むか、またはガイド28の周りの経路の一部に延びている。ツイストリング66は、ツイストリング66の回転が、伸長位置と収縮位置との間の光軸38に沿ってレンズバレル50を動かす形で、レンズバレル50と機械的に係合している。ツイストリング66は、ガイド28の前向きリム44、および/または、走行止め62aまたは他の部品により、軸方向の適所に捕捉される。 (図5および図8を参照)ツイストリング66とレンズバレル50との間の機械的連結は、カムタイプの伸長収縮機構である。他のタイプの伸長収縮機構も使用可能である。例えば、ツイストリング66およびレンズバレル50は、歯車列、カムスロットまたは溝に乗ったピンなどによりリンク可能である。
【００２３】
図3から図4に示されたようにレンズバレル50は、支持構造物として働くトラベラ68、およびトラベラ68の前方端を閉じるキャップ70を含んでいる。トラベラ68およびキャップ70は、それぞれワンピースプラスチック注入成形であってもよい。図示の実施例では、トラベラ68はトラッカー72を含み、光軸38に対して垂直方向に延びるクロスウォール74、およびクロスウォール74を囲む周辺外壁76を有している。クロスウォール74は、光軸38と整列した中央開口部または主要開口部78を有している。
【００２４】
特定の実施例では、トラッカー72は、レンズバレル50の主要部分82に対して外向きに延びる3つのトラックフォロア80を有している。トラックフォロア80は、トラベラ68のサポート24に対する傾斜防止の補助のために、トラベラ68の周りで等しく距離を置くことが出来る。各トラックフォロア70は、距離を置いて離れた1対のポスト84を有している。ツイストリング66は、ツイストリング66が右方向および左方向の構成間で回転される場合、光軸38に沿ってトラベラ68が前方および後方に移動する形で、トラベラ68のトラッカー72およびトラベラ68の拘束装置を受けるトラッキング部分86を有している。
【００２５】
ツイストリング66のトラッキング部分86は、光軸38の周りで螺旋形を成した、1組の内部トラック88である。各トラック88は、トラベラ68のトラックフォロア80のうちのそれぞれ1つを受ける。特定の実施例では、トラック88は、ツイストリング66の周辺壁90から光軸38に向かって延びる螺旋状リブである。トラック88は、それぞれのトラックフォロア80のポスト84間で把持される。代替的に、トラック88は、溝またはフェンス間に乗るよう構成されたトラックフォロア80を受ける、溝または平行なフェンスの対であってもよい。レンズバレル50およびツイストリング66の伸長収縮機構の機能は交換可能でもあり、例えば、ポスト84は、レンズバレル50よりむしろ、ツイストリング66上に設けられることができる。
【００２６】
トラックフォロア80は、ガイド28内の対応するスロット92を通してトラック88まで伸びている。スロット92は、各々光軸38に平行に伸びている。図示の実施例では、3つのスロット92および3つの対応するトラック88がある。ツイストリング66が回転すると、トラックフォロア80はトラック88に沿ってスライドする。トラックフォロア80がサポート24のスロット92により保持されるので、これにより、光軸38に沿い、内向きまたは外向きへ直線的に進むレンズバレル50がもたらされる。
【００２７】
第1および第2の接触面58、60は、トラベラ68の一部分である。図33から図35に示される実施例では、第1および第2の接触面58、60は、トラックフォロア80のポスト84の反対部分である。
【００２８】
図11、図12の実施例では、第1および第2の接触面58、60は、トラベラ68の前部部分および後部部分である。この実施例では、ツイストリング66は存在しない。代わりに、トラベラは、トラベラ68のポスト208を受ける、旋回可能なリンク202を用いて往復移動される。リンク202は、カメラの外部からアクセスしやすい、回転可能なノブ、または同様の機構(図示せず)に固定された(不動の)関係で接合されている。ガイド28のトラッカー72およびスロット92は、前述したように、または単純化された形で提供可能である。この実施例では、トラッカーは、移動の間、トラベラ68の誘導およびセンタリングを提供するだけである。単純化の例は、スロット92がガイド28を完全に貫いては延びず、さらに、トラックフォロア80内のポスト84の数を減少させる形で、スロット92の深さを制限することである。
【００２９】
本願明細書における若干の実施例では、レンズバレル50は、中間位置ではなく、収縮および伸長位置のみで用いるよう設定されている。バイアス装置94は、以下で詳述するよう、中間位置におけるレンズバレル50の停止を阻止する。このために、レンズバレル50が中間位置にあるとき、トラベラ68は、光軸38にほぼ整列される以上の状態で維持される必要はない。ガイド28は、こうした大方の整列を提供する。ガイド28は、また、光軸38が収縮位置および伸長位置にある状態で、トラベラ68を厳密に整列した状態に保つ。
【００３０】
特に図33から図35を参照すると、トラックフォロア80は、ツイストリング66のトラック88とガイド28のスロット92により、緩く保持される。ツイストリング66は、ガイド28上に緩く適合する。各トラックフォロア70の位置は、それぞれのトラック88およびスロット92により決定される。スロット92内でのトラックフォロア80、およびガイド28上でのツイストリング66の緩い嵌合により、収縮位置と伸長位置との間でトラベラ68が移動する際に、光軸38に対してツイストリング66およびトラベラ68が角度的にずれることが可能となる。緩い許容度が製造コストを低下させるため、緩い嵌合は有利である。これは多くの問題を含まない。というのは、トラベラ68の傾きは、トラベラ68が収縮位置と伸長位置との間の中間位置にある場合に制限されるからである。収縮位置および伸長位置では、トラベラ68のそれぞれの接触面58、60は、それぞれのレスト54、56と係合している。すでに留意したように、ガイド28に対してトラベラ68が傾く危険性の排除を、さらに補助するために、レスト54、56と、それぞれの接触面58、60との3点接触が提供可能である。
【００３１】
ツイストリング66およびトラック88の緩い嵌合により、他のトラベラ68の運動が可能となる。トラックフォロア80は、ガイド28のそれぞれのスロット92に対して、光軸38の周りを僅かに前後に旋回可能である。これは無視することができる。トラベラ68に提供される光学要素(後述)は、光軸38の周りの回転に対し、均一な特性を有することが可能である。トラベラ68はまた、光軸38に平行な方向に、誤配置される危険性も有している。この平行な誤配置は、トラベラ68の外壁76、およびガイド28の中央経路40の寸法を厳密に決定することにより制限可能である。これは、ガイド28全体を通して、トラベラ68が収縮位置および伸長位置にそれぞれ入る、ガイド28の前部および後部のみで成すことができる。
【００３２】
ここで、図4および図13から図19を参照すると、タレット96は、トラベラ68内に配置され、さらに、トラベラ68により支持されている。タレット96は、収縮位置と伸長位置との間で、トラベラ68と共に乗っている。タレット96は、1つまたは2つの後部光学要素受座98、99を有している。各受座98、99は開口部100、102を囲んでいる。タレット96は、トラベラ68を貫いて延びる、光軸38に平行な旋回軸104の周りを、トラベラ68に対して旋回可能である。タレット96が旋回するのは、図8および図17に示された、開口部100のうちの1つが光軸38と整列している第1の位置と、図10および図18に示された、その開口部100が光軸38から距離を置いて離れて、第2の開口部が、存在するなら、トラベラ68の中央開口部78と整列する第2の位置との間である。
【００３３】
本願明細書に開示されている実施例では、タレット96は、トラベラ68の外壁76と光軸38との間に位置している。これは、前後部カバー16、18が取り外されるリサイクル段階において、外壁76がタレット96を衝撃などから保護可能であるため、使い捨てカメラには有利である。
【００３４】
前部レンズ要素106は、光軸38と整列した、中央開口部78上のトラベラ68内に取り付けられる。任意に、1つ以上の追加光学要素(図示せず)が、トラベラ68内に配置される。本願明細書に開示された実施例では、第1のタレットレンズ要素108は、第1の後部アパーチャー100上の第1の後部光学要素受座98内に取り付けられる。第2のタレットレンズ要素110は、第2の後部アパーチャー102上の第2の後部光学要素受座99内に取り付けられる。前後部レンズ要素106、108、110、および他のレンズ要素(存在するなら)は、キャプチャ平面へ光を方向付ける撮影レンズシステムを一緒に含んでいる。後部レンズ要素108、110は、それぞれタレット96の第1の位置および第2の位置で、光軸38と整列される。
【００３５】
図33から図35に示される実施例では、前部レンズ要素106および第1のタレットレンズ要素108は第1のダブレットレンズであり、前部レンズ要素106および第2のタレットレンズ要素110は第2のダブレットレンズである。第1および第2の後部レンズ要素108、110は、第1および第2のダブレットレンズの異なる焦点距離、または異なる焦点長に備えて、異なる光学倍率を有している。タレット96レンズ要素のうちの一方または両方に追加して、またはその代わりに、他の光学要素が提供可能である。
【００３６】
ここで図4、図13から図16、および図41から図44を参照すると、いくつかの実施例では、シャッター112は、クロスウォール74とタレット96との間のトラベラ68内に配列されている。シャッター112は、トラベラ68と共に光軸38に沿って前後方向へ移動する。通常、シャッター14は、シャッター14が中央開口部76をしっかりカバーする、閉状態にある。
【００３７】
シャッター112は、シャッター機構114の一部であり、フレーム20に取り付けられたシャッターリリース116を含んでいる。シャッターリリース116は、ユーザにより、瞬時シャッター112を開放するためにリリース可能である。単葉衝撃シャッターは、中央開口部76がブロックされる閉位置と、中央開口部76が開かれる開位置の間で、トラベラ68に対して旋回することが示されている。
【００３８】
シャッター14は、シャッタードライブレバー118により駆動される。シャッタードライブレバー118は、フィルム搬送34により、装填状態となる。ディジタルカメラでは、使用される画像化装置に応じて、さらに単純な機構により駆動される同一シャッターが使用可能であり、または他の機械的シャッターが使用可能であり、または画像化装置および制御システムのシャッターとして機能する内部エレクトロニクスが使用可能である。
【００３９】
フィルム搬送34は、フレーム20のトップコーナーに隣接して、回転のために取り付けられた、サムホイールおよび調量ホイール120を含んでいる。ホイール120の部分は後部カバー18を超えて伸び、カメラ操作者がアクセスできる。ホイール120は、所望であれば、ユーザにより直接操作されるのではなく、むしろ巻取りノブ、レバー、電動機、または他の同様の装置によって駆動されてもよい。
【００４０】
写真用フィルム122は、最初は一方のフィルムチャンバ(図示せず)内のコイル内に巻かれており、キャプチャ平面を横切って (図41の矢印121で示す) 、フィルム122の終端が、フィルムカートリッジ76のスプール124により保持される、他のフィルムチャンバ(図示せず)に達する。ホイール120は、ホイール120を前方に回転させると、フィルム122がカートリッジ76に巻き上げられ、キャプチャ平面121を過ぎて前進するよう、ホイール120をフィルムカートリッジスプール124へ結合させるキー(図示せず)を有している。アンチバックアップポール（anti-backup pawl）126は、反対方向への回転を防止するよう、ホイール120の縁に、弾力的にバイアスされている。
【００４１】
フィルム調量スプロケット128は、フレーム20により旋回可能に支持されたスプロケットシャフト130を有している。スプロケット128は、フィルム70の送り孔に係合し、フィルム70が毎回1フィルムフレームに対応した距離だけ前進するよう、完全に1回転する。
【００４２】
アクチュエータディスク132および装填カム134は、スプロケット128とワンピースに製造されるか、または固定(不動)関係を保つようにスプロケット128と組み立てられる。アクチュエータディスク132では、異なる連続した円周がノッチ136により中断されている。装填カム134は、一側に螺旋状表面を有している。
【００４３】
フィルム調量レバー144は、旋回運動のために、フレーム20により支持されている。調量レバー144は、コイルスプリング146により作用方向にバイアスされている。調量レバー144は、歯と係合する第1のアーム148、および爪150を有する第2のアームを有している。調量レバー144の歯付きアーム148が、アクチュエータディスク132のノッチ136に受けられると、調量レバー144の爪アーム150は、一時的にホイール120の歯付きリムと係合し、フィルム122の前進を妨げる。
【００４４】
シャッターリリース116は、シャッターリリース116のフレキシブルアーム140のカンチレバーが取り付けられた終端付近に位置する、シャッターボタン138を含んでいる。シャッターボタン138に隣接して、アーム140は、ラッチ部材142を担持する垂直タブを有している。
【００４５】
シャッタードライブレバー118は、スプリング152によりバイアスされている。シャッタードライブレバー118は、スプリング152に対向する、装填状態のシャッタードライブレバー118を保持する、ラッチ部材142に係合したトング154を有している。さらに、シャッタードライブレバー118は、フィルム搬送34の装填カム134に係合するよう位置決めされた、カムフォロアフィンガ154を有している。
【００４６】
1対のタイバー156、158は、フレーム20から外向きに延びている。第1のタイバー156はシャッタードライブレバー116と結合し、好ましくは、バー156およびレバー116は、ワンピース注入成形の異なる部分である。タイバー156、158は、各々、対向する第1および第2の終端を有している。第1の終端は、互いに距離を置いて離れており、それぞれ、フレーム20に旋回可能に接合されている。平行バー164は、2つのタイバー156、158の第2の終端に旋回可能に接合されている。平行バー164は、第1の終端から前方へ向かって区切られ、さらに、フレーム20からも前方へ向かって区切られることが出来る。ストライカ166は、平行バー164と共に可動で、好ましくは平行バー164に接合されている。ストライカは、所望であれば、トラベラの移動につれて短くするよう変更可能である。
【００４７】
シャッタードライブレバー118が充填状態にあり、さらにカメラ10が露光される状態にあるときは、シャッタードライブレバー118のトングは、図41に示されたように、スプリング152に対向して充填状態にあるシャッタードライブレバー118を保持するラッチ部材142により係合される。これに先立って、スプロケット128は、フィルムが前進する間に、調量レバー144の歯付きアーム148がアクチュエータディスク132のノッチ136内に入る位置へと回転している。このため、調量爪アーム150は、スプリングの影響を受けて、ホイール120に係合されることになる。シャッタードライブレバー118のカムフォロアフィンガは、装填カム134との接触が外される。
【００４８】
写真家が露光を開始するためにシャッターボタン138を押下すると、シャッターリリース116は、準備完了状態からリリース状態へとリリースされる。シャッターボタン138は、ラッチ部材142をシャッタードライブレバー118のトングと係合した状態から動かし、シャッタードライブレバー118は、スプリングにより、装填状態から非装填状態へと急速に旋回する。これにより、ストライカがシャッター112のトング168に衝撃を与え、シャッター112を閉じ状態から開放状態へ回転させることになる。トング168は、シャッターの残余部分から光軸38と平行な方向へ延びる、シャッター112の延長部170上にある。外延部170は、トラベラ68が伸長位置および収縮位置にあるとき、トング168およびストライカ166のオーバーラップに備える。トング168の衝撃により、シャッター112は、キャプチャ平面上に光画像を露光するアパーチャーから離れるように動かされる。アパーチャーは、瞬時カバーを外される。ストライカがシャッター112のトング168をさらに動かすと、シャッター戻しバネ169のバイアスにより、シャッター112は閉じ状態へ戻る。
【００４９】
フィルム露光の終了後、シャッタードライブレバー118は、調量レバー144の下向きに延びるヨーク173と係合するよう移動する。この結果、調量レバー144は、スプリング146により調量部材に印加された弱い力を超えることで、非活動位置へ回転する。従って、調量爪アーム150はホイール120から外れ、調量部材歯付きアーム148はアクチュエータディスクノッチ136から収縮される。これにより、搬送機構34は、フィルム122を次の利用可能なフレームに進めるよう操作可能となる。
【００５０】
次に写真家がホイール120を前方に回転させると、フィルム122は、スプール124上へ巻き取られる。これにより、調量スプロケット128は、同一方向に回転することになる。装填カム134は、シャッタードライブレバー118のフィンガ171に係合し、後者を充填状態に戻すよう回転する。
【００５１】
当業者によく知られた様々な他の適切なシャッター機構があり、現在利用可能なカメラで一般に使用されている。
【００５２】
ここで、図4、図8から図10、および図13から図19を参照すると、タレット96は、前面172および背面174に対向している。後部レンズ要素108、110は、背面174に対して配列される。シャッター112は、前部表面172に接近して隣接している。タレット96は、1組のスタンドオフ179に対して旋回する。各スタンドオフは、トラベラ68のクロスウォール74の一部である。シャッター112が動くよう、スタンドオフ179により、クロスウォール74とタレット96との間にスペースが提供される。シャッターは、タレット96のクロスウォール74および前部表面174の間近に隣接しており、一方または双方に接触可能である。スタンドオフは、過度の摩擦もなくトラベラを支持するよう構成されている。図示された実施例では、スタンドオフ179は、1つのリブ176、および2つ以上のノブ181(図19に最もよく示される)を含んでいる。
【００５３】
バッカー(backer)178は、トラベラ68に接合されている。バッカー178は、トラベラ68と共にサポート24に対して移動する。タレット96は、バッカー178とトラベラ68のクロスウォール74との間にトラップされる。バッカー178は、リサイクルの間、バッカー178が損害に対してタレット96を保護するのを補助するので、レンズモジュール22がカメラ10の残余部から分離され得る使い捨てカメラでは有利である。
【００５４】
ここで図5から図10および図16から図19を参照すると、タレット96は、カムスロット184内に伸び、対向する終端186、188間のカムスロット184に沿って移動する、カムフォロア180を有している。カムフォロア180がカムスロット184の第1の終端186まで移動すると、タレット96は第1の位置へ旋回する。カムフォロア180がカムスロット184の第2の終端188へ移動すると、タレット96は第2の位置へ旋回する。
【００５５】
タレット96の旋回は、カムフォロア180が第1の終端186内に配列されると、レンズバレル50は第1の配置（configuration）となり、さらにカムフォロア180が第2の終端188に配列されると、第2の配置となるよう、トラベラ68の軸方向への運動に機械的に連動する。トラベラ68は、第1の配置では収縮位置、さらに第2の配置では伸長位置にある。
【００５６】
本発明の特定の実施例では、サポート24は、第1のカム面192を有する、前方に延びるカムフィンガ190を有している。ガイド28は、カムフィンガ190を受けるカムノッチ194を有している。カムノッチ194は、第2のカム面196を有している。第1のカム面192は、光軸38に平行な仮想線に対して傾いている。第2のカム面196は、第1のカム面192に平行で、かつ距離を置いている。カム面192、196は、共にカムスロット184、さらに第1および第2の対向する終端186、188を形作っている。1つに結合する別々の断片であるサポート24およびガイド28上への、第1および第2のカム面192、196の提供は、ワンピースプラスチック注入成形としてのサポート24、および他のワンピースプラスチック注入成形としてのガイド28のモールディングを簡素化するのに有利である。
【００５７】
ここで、主に図20から図23を参照すると、バイアス装置94は、レンズバレル50が伸長位置にある場合、第1の接触面58を前部レスト54へ向かわせ、レンズバレル50が収縮位置にある場合、第2の接触面60を後部レスト56へ向かわせる。バイアス装置94はまた、レンズバレル50を、中間位置から遠ざけ、伸長位置および収縮位置により近い方へ向かわせるのが好ましい。バイアス装置 94はまた、直接または間接的にタレット96へ作用し、タレット96のカムフォロア180をカムスロット184の第1および第2の終端186、188へと向かわせ、カムスロット184の終端186、188間の中間位置の連続体から遠ざける。すでに留意したように、これは、トラベラ68の動きと連携している。
【００５８】
バイアス装置 94は、1つ以上の連携オーバーセンター機構を含んでいる。オーバーセンター機構またはレンズバレル50を駆動する機構は、高度なバイアシングを提供し、バイアスが順方向を向く第1の状態と、バイアスが反対方向を向く第2の状態との間の、急速な切り替えが高度に好ましい。切り替えの時間までバイアスを増加させることが好ましい。
【００５９】
ここで特定の実施例を示す図16から図19を参照すると、バイアス装置 94は、タレット96を、図8、図17、図10、および図18のそれぞれに示された1つの実施例に対する、第1および第2の位置にバイアスさせるタレットスプリング197を含んでいる。タレットスプリング197は、タレット96を、図9に示されたもののような中間位置から離すようバイアスさせる。タレットスプリング197はまた、タレット96を前記トラベラ68に対してバイアスし続ける。図16から図19に示される実施例では、タレットスプリング197は、タレット96を圧迫する第1の終端199を有している。第2の終端195は、トラベラ68のクロスウォール74に取り付けられ、スペースをカムフォロア180に提供するために分岐されている。
【００６０】
図11、図12に示された実施例では、バイアス装置 94は、内部終端209でサポート24に旋回可能に接合したリンク202を有するオーバーセンター機構198を有している。サポート24は、ポスト206を有している。リンク202は、ポスト206に適合する穴を有している。リンク202の他方の終端211は、スライド可能にトラベラ68に接合されている。トラベラ68は、上向きに延びるポスト208を有している。リンク202の外側終端211は、開口部210の内側終端212にわずかなくの字に曲がったものがあるのを除けば、長楕円形の開口部210を有している。ポスト208は、内側終端212と外側終端214との間の開口部210に沿って可動である。
【００６１】
この実施例では、サポート24は、リンク202の2つの終端205、206間の、サポート24の残余部から前向きに突出するフランジ216を有している。オーバーセンター機構198は、両端にループを有するオーバーセンタースプリング200を有している。第1のループは、フランジ216に接合される。第2のループは、リンク20の2つの終端209、211間でリンク202に接合している。オーバーセンタースプリング200は、迅速な切り替え、および切り替えまでにバイアスの増加という特徴を有している。
【００６２】
リンク202は、それぞれの収縮位置と伸長位置との間でのレンズバレル50の移動に連携して、収縮位置と伸長位置との間で可動である。オーバーセンタースプリング200が取り付けられたフランジ216は、収縮位置ではリンク202の中心線の前側であり、伸長位置ではリンク202の中心線の後側である。収縮位置と伸長位置との間を移動する間、トラベラ68のポスト208は、2つの終端205、206間の開口部210に沿って移動する。オーバーセンター機構198は、直接的に、または機械的結合部分を経由して間接的に、レンズバレル50を回転させることにより、収縮位置と伸長位置との間で切り替えられる。
【００６３】
ここで図8から図10および図17から図32を参照すると、他の実施例では、バイアス装置 94はまた、各端にループ201、203を有するオーバーセンタースプリング200を含んでいる。ループ201の一方は、ツイストリング66に接合されている。他のループ203は、サポート24またはフレーム20の一部である、ボス29に接合されている。ループは、それぞれの部分から外側へ各々が延びるノブ205、207により保持される。ノブ205、207は、ループ201、203を保持するのを補助するノッチなど(図示せず)を有することが出来る。代替的に、サポート24により保持されるスプリング200は、フレーム20または他の非可動部分に接合可能である。
【００６４】
オーバーセンタースプリング200は、展開機構218の一部である。展開機構218は、グリップ222およびスライド224を有するアクチュエータ220を有している。グリップ222は、本体外部からアクセス可能であり、ユーザによる操作をより簡単にするために、高くなった握り(図示参照)、および/または、ローレット切または他のテクスチャなど、1つ以上の機構を含むことが可能である。グリップ222は、前部カバー16内の凹み226内部で、前後に可動である。グリップ222は、休止226内の開口部230を貫いて突出するコネクタ228を有している。開口部230は、休止226内の中心に配置可能であり、グリップ222により完全にオーバーラップされる。これは光ロッキングを提供する。グリップ222の走行は、休止226の長さにより制限される。走行は、休止226内の開口部230の長さにより制限可能であるが、これはデザイン的にひきたつものではなく、カバー16内のグリップ222の嵌合は、ユーザの目に杜撰なものに映るかもしれない。
【００６５】
アクチュエータ220は、レンズモジュール22のガイド28に隣接する、アクチュエータベース232に対して配列される。アクチュエータベース232は、フレーム20の一部、または分離したピース、またはガイド28またはサポート24のマウント26と一体になっていてもよい。例えば、アクチュエータベース232およびガイド28は、ワンピースプラスチック注入成形の部分であってもよい。これは、展開装置のレンズバレル50との整列が、かなりの程度まで、ガイド28と並んでいるアクチュエータベース232の物理的位置決定機能であるため便利である。特定の実施例では、使用に際して、ある部分が他部分に対して屈曲してしまう危険を減少させるために、ガイド28はマウント26に掛けられ、さらにアクチュエータベース232およびマウント26は、両者ともフレーム20に掛けられている。
【００６６】
アクチュエータ220のスライド224は、アクチュエータベース232に対して静止しており、アクチュエータベース232上で往復動作可能である。スライド224は、下段236がアクチュエータベース232のトラフ238内に乗る、階段状(図28参照)となっていてもよい。リブ240は、下段236から外向きに延びている。リブ240は、アクチュエータ220の移動方向に対して横向きに延びている。リブ240は、１対の対向面239、241を有している。トランジション242は、下段236に隣接し、上段244へと上向きに傾斜している。上段244は、アクチュエータベース232のシェルフ246に対して乗っている。シェルフ246およびトラフ238は平坦で、スライド224が接触しているが、摩擦を減少させるよう変更可能である。トラフ238とシェルフ246との間のアクチュエータベース232の領域247は、トランジション242に対するクリアランスを提供するために切欠されている。
【００６７】
アクチュエータベース232は、１対のフランジ248、250を含んでいる。 (図26から図28参照) 。第1のフランジ248は、アクチュエータベース232内のトラフ238に隣接する溝252とオーバーラップしている。同様の溝254は、アクチュエータベース232の傾斜領域247に隣接している。第2のフランジ250は、第2の溝254とオーバーラップしている。スライド224の下段236は、第1の溝252に適合する形状のトング256を有している。スライド224の上段は、第2の溝254に適合する同様のトング257を有している。トラフ238の両端は開いており、スライド224はわずかに屈曲可能である。これにより、スライド224は、カメラ10の組み立て中に、フランジ248、250の下を滑ることが可能となる。
【００６８】
爪アーム258は、終端が爪262となったフレキシブルアーム260を有している。爪アーム258は、スライド224の上段244に接合されている。戻り止リブ264は、アクチュエータベース232から外向きに突出している。爪アーム258は、戻り止リブ264に対して乗っており、アクチュエータ220を第1および第2の位置へ向かって、第1および第2の位置間の中間位置から離れているように、弾力的にバイアスさせる。爪アーム258および戻り止リブ264は、一緒にアクチュエータオーバーセンター機構198aを提供する。このオーバーセンター機構198aは、オーバーセンタースプリング200を含む、第2またはドライブオーバーセンター機構198bに呼応して作動する。
【００６９】
スライド224の上段244は、グリップ222のコネクタ228を受けるフィッティング266を有している。図示された実施例では、グリップ222は、スライド224の上段の穴へスナップ嵌めされている。これは、グリップ222が追加部品を用いることなく適所に保持されるうえ、カメラ10の組み立ても容易なので便利である。取付け部品に対する代替的アプローチは、当業者には周知である。
【００７０】
アクチュエータベース232は、外向きに延びるポスト268、およびドライブユニット受座270を有している。ドライブユニット受座270およびポスト268は、互いにオフセットされている。ドライブユニット272は、ドライブユニット受座270に固定され、受座270を貫いて延びるドライブ軸274(図20に示される)の周りで旋回可能である。ドライブユニット272およびドライブユニット受座270は、ハブと軸の要領で嵌合可能である；しかしながら、若干の図に示されるように、ドライブユニット受座270が縁どられた穴であるうえ、ドライブユニットがスナップコネクタ273を有しているので、スナップ嵌めの提供が便利である。
【００７１】
ドライブユニット272は、周辺歯を有する歯車276を有している。ポスト277は、歯車276の周辺近傍で上向きに延びている。ドライブユニット272は、歯車276の周辺近傍で、歯車276から下向きに延びる、１対の下方延出止め278、280を有している。ポスト268および止め278、280は、放射状に別々に位置決め可能であるが、図示された周囲の位置は、所与の歯車サイズに対して、ドライブユニット272の運動を最大にする。ポスト268および止め278、280は、延長部(図示せず)上を、放射状にさらに外側に移動可能であるが、これは装置の組み立てを複雑にすることになろう。歯車276は、スライド224とオーバーラップする。これにより、展開装置218のスペース要件が減少する。
【００７２】
止め278、280は、アクチュエータ220の作動中に、止め278、280がリブ240を妨げることが出来る程度まで、歯車276から下向きに延びている、止め278、280は、互いに距離を置いて離れている。この分離は変更可能であるが、ドライブユニット272の走行方向に、180度より大きいことが望ましい(以下に詳細に議論する)。図20から図32に示される展開装置では、止めのこの分離は、ドライブユニット272の走行方向に270度である。180度未満の角度も使用可能であるが、配備可能構成要素の所与の走行には、より大きな歯車276の使用が必要となる。これは、ここで説明される展開装置218の利益であるコンパクトさを減少させることになる。
【００７３】
使用に際して、歯車276は、歯が完全な円形を成している必要はない。例えば図20から図32の実施例では、2つの止め278、280間の90度の弧内にある歯は機能することがなく、排除可能である。歯が完全な円形を成すことは、完成装置においては機能しないが、組み立て段階では、ドライブユニット272をランダムな方向に設置可能であり、さらに、その後、正しい方向に達するまでいずれの方向にも回転可能であるので、有益である場合がある。そして、正しい方向に達した後、配備可能構成要素218がドライブユニット272と共に組み立てられる。
【００７４】
ツイストリング66には、ドライブユニット272の動きに合うよう歯付けされている。すなわち、これらの歯は、ドライブユニット272の機能する歯と相補的である。
【００７５】
図20から図32の実施例では、ドライブオーバーセンター機構198bは、アクチュエータベース232およびドライブユニット272に取り付けられる。ドライブオーバーセンター機構198bは、それぞれの2本の対向するアームの各々の終端にループ201、203を有する、オーバーセンタースプリング200を有している。第1のループ201は、ドライブユニット272のポスト277上に取付けられている。第２のループ203はアクチュエータベース232のポスト268上に取付けられている。オーバーセンタースプリング200は、ドライブユニット272、およびかみ合わせられたツイストリング6、およびトラベラ68を、図21および図22に示された方向に向かって、さらに各方向の間から離れるようにバイアスさせる。
【００７６】
他のタイプのオーバーセンター機構も、ここに開示されたものに代わって使用可能である。例えば、爪アーム258および戻り止リブ264は、図示されたもののようなオーバーセンタースプリングにより取り替え可能である。 (オーバーセンタースプリングのそれぞれのループを保持するために、アクチュエータベース232およびスライダー224にポストを追加可能である。)
【００７７】
収縮位置と伸長位置との間のレンズバレル50の切り替えは、ユーザがアクチュエータ220のグリップ222を押すことにより開始する。これにより、アクチュエータ220は第1の位置から出て、第2の位置へ向かって移動する。アクチュエータ220が第1の位置から離れて動く間、アクチュエータ220のリブ240の第1の面239は、ドライブユニット272の第1の止め278に押し当たる。この結果、ドライブユニット272は、中間方向に向かい、中間方向の第1の領域を通って旋回する。この旋回は、アクチュエータオーバーセンター機構198aおよびドライブオーバーセンター機構198bにより対向される。アクチュエータ220の動きは、構造の中間領域に達するまで続く。この点で、アクチュエータオーバーセンター機構198aによるバイアスは、第2の位置へ向かうバイアスへ転換する。アクチュエータオーバーセンター機構198aによるこの前方向へのバイアスは、ドライブオーバーセンター機構198bによる継続するバイアスに対して反対方向である。
【００７８】
ドライブユニット272が中央方向を向くと、ドライブオーバーセンター機構198bが逆さまに変わり、ドライブユニット272の第2の終端方向への旋回に向かう前方方向へバイアスする。この点で、オーバーセンター機構198a、198bの双方によるバイアスは、同一方向である。アクチュエータ220は、第2の位置に達しアクチュエータが動くのを止めるまで動き続ける。ドライブユニット272は、ドライブオーバーセンター機構198bの前向きバイアスの下で、前向きに動き続ける。図示された実施例では、ドライブユニット272は、中央方向に達した後、アクチュエータ220と独立に移動する。この結果、ドライブユニット272の第1の止め278は、アクチュエータ220のリブ240の第1の面239から離れて動くことになる。ドライブオーバーセンター機構198bのバイアスは、ドライブユニット272を、第2の終端方向への中間方向の第2の領域を通って旋回させる。アクチュエータ220は、第2の位置に残っている。ドライブユニット272の旋回が続く間、ドライブユニット272の第2の止め280が回転し、リブ240の第2の面に達する。
【００７９】
位置間のレンズバレルの移動は、止め278、280により、または止め278、280および1つか2つのレストの双方により、またはレスト、またはサポートの機構のみにより、区切られることが出来る。最初の2つの場合には、止め278、280は、限界位置のリブ240の面239、241に係合する。後者の場合には、止め278、280は、限界位置内のリブ240から離れている。
【００８０】
特定の実施例では、カメラ10は、位置決定装置62を有している。位置決定装置62は、1個以上のレンズ要素の位置を区切るために使用される。位置決定装置62がレンズバレル72の走行を制限するために用いられる場合は、位置決定装置62も本願明細書では走行止め62aと称される。
【００８１】
ここで図8から図10、および図33から図35を参照すると、走行止め62aは、光軸38上に中心を置いた開口部284を有する、リング形のワンピースプラスチック注入成形である。走行止め62aは、環状の主要部分298、および主要部分288から軸方向に延びるスキッドを有している。スキッド286および主要部分288は、開口部284から外向きに放射状に配置される。スキッド286は、光軸38の周りをマウント26に向かって螺旋状に動かされる。スキッドには、1つ以上の斜面290を有している。各斜面290は、光軸38の周りに別々の螺旋を形成している。
【００８２】
走行止め62aのスキッド286の斜面290は、この実施例では前部レスト54である。斜面290は、レンズバレル50の第1の接触面58と係合し、さらなる前進をブロックすることにより、レンズバレル50の伸長位置を区切る。(図34参照) 。すでに説明したように、これらの実施例では、レンズバレル50は、中央経路40内に配列した主要部分82、および主要部分82から外向きに突出した多数のトラックフォロア80を有している。第1の接触面58は、各トラックフォロア70のポスト84のうちの1つの一部分である。第1の接触面58の各部分は比較的小さく、伸長位置内のそれぞれの斜面290の放射状に整列したセグメントに接触するだけである。セグメントは、第1の接触面に接触した斜面の部分であり、つまり、斜面の小部分である。
【００８３】
図33に示される実施例では、走行止め62aは、走行止め62aの主要部分288から軸方向に外向きに延びる、1つ以上の迫持台294を有している。各迫持台298は弓形をしており、主要部分298の周りに部分的に伸びている。迫持台294は、斜面290から離れている。各迫持台294は、光軸38に沿って延びる1つ以上の接触面296を有している。接触面296は、それぞれ光軸38に平行な主要寸法を有している。迫持台294の数、および形状、およびスペースは変更可能である。例えば、図33に示される実施例では、各迫持台294は、各迫持台の中央で互いに面した対向する接触面296の第1の対、および各迫持台294の対向端に第2の対を有している。
【００８４】
この実施例では、ガイド28は、前向きリム44を貫いて延びる1つ以上のアクセスウエイ297を有している。アクセスウエイ297は、中央経路40から放射状に外向き方向に離れている。各アクセスウエイ297は、リングのセグメントのように形成され、それぞれの迫持台294と整列されている。迫持台294は、図34に示されるように、それぞれのアクセスウエイ297内に伸長可能、またはそれぞれのアクセスウエイ 297から収縮可能、またはアクセスウエイ 297を貫いて伸長可能である。ここでは、迫持台294が光軸38に沿って前方に延び、さらに走行止め62aの主要部分288が前向きリム44の後方にあることが好ましい。代替的に、迫持台294は、光軸38に対して放射状に外向きに伸長可能である。走行止め62aは、前向きリム44に隣接したガイド28に取り付けられる。走行止め62aのスキッド286は、ガイド28に対して内部に配置される。斜面290は、マウント26に面している。図示された実施例では、スキッド286は、互いから離れ、光軸38の周りに等しく離れ、マウント26に向かって等しく傾いた、3つの斜面290を有している。
【００８５】
図33から図35に示された走行止め62aは、主要部分298の前方部分300、および軸方向に挿入された後方部分302を有している。前方部分300は、後方に面したショルダー304を有している。組み立てられたレンズモジュール22において、ツイストリング66は、マウント26のフォワードマージン306と走行止め62aのショルダー304との間にトラップされる。走行止め62aは、ツイストリング66とガイド28の前向きリム44との間にトラップされる。
【００８６】
走行止め62aは、光軸38の周りで、サポート24およびフレーム20に対して、スキッド286の多数の異なる方向へ旋回可能である。旋回は、それぞれの斜面に沿って第1の接触面に接触した斜面のセグメントをシフトさせる。位置決定装置62は、迫持台294の1つ以上の接触面296を押すことにより、旋回される。1つ以上のブレードまたはピンを有するスパナまたは他のツール(図示せず)を、1つ以上のアクセスウエイに挿入し、接触面296に対して配置することが可能である。その後、そのツールは、光軸38の周りでの回転の1方向または他の方向へ、位置決定装置62を押すために使用可能となる。迫持台294も、カメラの組み立て中に、前部カバーの配置に先立って、手で押すことが出来る。
【００８７】
走行止め62aの旋回は、スキッド286およびレンズバレル50の相対的な半径方向の整列を変更させる。走行止め62aが旋回するにつれ、それぞれのポスト84の部品と接触する斜面290のセグメントは、それぞれの斜面290に沿って移動する。これにより、伸長位置内の、第1の接触面58の軸位置およびレンズバレル50のレストを変化させる。走行止め62aは、組み立ての間、個々のカメラ10のレンズ焦点を修正するよう調整される。調整後、走行止め62aは、部品間の摩擦により、固定または他の締め付けにより、または走行止め62aを接着、溶接などで適所に接着することにより、適所に保持可能である。
【００８８】
図36から図37および図45に示された他の実施例では、走行止め62bの各迫持台294は、ガイド28の前向きリム44の外側に連続縁を形成するよう一つに結合される。走行止め62bは、前向きリム44、およびトラベラ62bの喉330のオーバーラップにより、適所に保持される。走行止め62bは、その他の点では、すでに説明したものに似ている。
【００８９】
前部走行止め62aに加えて、または前部走行止め62aに代え、後部走行止め(図示せず)を提供可能である。後部走行止めは、走行止め62aに対向して、ガイド28に取り付けられ、収縮位置内でレンズバレル50の位置を区切る。後部走行止めは、ガイド28の前向きリム44に面するスキッド286を有している。スキッド286および他の機構は、その他の点では、すでに説明したものに似ている。
【００９０】
特定の実施例では、カバーガラス310は、ツールに代わって、走行止め62aまたは他の位置決定装置62の調整に用いられる。図33、および図36、図37、および図45を参照すると、カバーガラス310は、透明なまたはフィルタリングするウィンドウ312を有している。カバーガラス310は、ウィンドウ312を支持し、衝撃に対する補強を提供可能な補強バンド314を有している。調整装置316は、補強バンド314に接合されている。調整装置316は、マウント26に向かって延びる1つ以上のラグ318を有している。特定の実施例では、ウィンドウ312は、曲がっており、いかなる光学倍率も有していない。
【００９１】
カバーガラス310は、ガイド28の前向きリム44に取り付けられるか(図33参照)、または走行止め62aに取り付けられている(図36、図37および図45参照)。ウィンドウ312は、サポート24の中央経路40に整列される。ラグ318は、走行止め62aの迫持台294の中央で接触面296と係合するよう位置決めされる。(図33参照)バンド314は、迫持台294の外部縁308と係合する。図33に示された実施例では、ラグ318は、アクセスウエイ 297内に延びている。(図33、図34参照) 。カバーガラス 310は、ワンピースプラスチック注入成形であってもよい。
【００９２】
カバーガラス 310は、少なくとも初期には、サポート24に対して光軸38の周りで旋回可能である。カバーガラス 310が回転する際、ラグ318は走行止め62aを押して、光軸38の周りで走行止め62aを旋回させる。
【００９３】
ここで図38から図40を参照すると、本発明の特定の実施例では、位置決定装置62bは走行しないレンズと共に使用される。このカメラ10では、レンズバレル50は、前部レンズホルダー320に取り替えられる。前部レンズ322は、前部レンズホルダー320内に保持されている。後部レンズ326は、後部レンズホルダー328内に保持されている。前部レンズホルダー320の位置は、光軸38に沿う単一位置での焦点調整を提供するよう、後部レンズ326に対し、光軸38に沿って調整される。これは、カメラの組み立て後も変化がないまま残る工場調整でもよいし、またはユーザによって調整可能でもよい。
【００９４】
前部レンズホルダー320は、走行止め62aに対する先の説明と同じ方法で、前部レンズ322を光軸38に沿って移動させるよう、スキッド286の斜面290に対して旋回する接触面324を有している。カバーガラス 310は、上述の実施例と同一の方法で機能する。カバーガラス 310は、前部カバー16に取り付けられ、光軸38の周りでレンズホルダー320を回転させるよう、レンズホルダー320の迫持台294の接触面296に接触して、カバーガラス 310のラグ318と共に光軸38の周りで旋回可能である。図38から図40の実施例では、迫持台294は、光軸に対して外側へ放射状に伸びており、連続リングと結合している。
【００９５】
本発明は、特に、ある好ましい実施例を参照して詳細に説明されてきたが、本発明の精神および範囲内で、変更および修正が達成可能であることは理解されるものであろう。
本発明の他の機能
【００９６】
他の機能は以下の番号の付された文で説明されている。1. 以下を含むカメラアセンブリ：光軸を形成するサポート；前記サポートで保持され、前記光軸上の中心に位置する開口部を有し、前記光軸の周りで、前記サポートに対して多数の異なる方向に旋回可能な位置決定装置；前記位置決定装置の外部に回転可能に支持された、前記開口部上に配列されたウィンドウおよび前記ウィンドウに結合した調整装置を有するカバーガラス、それによって、前記カバーガラスを回転させると、前記位置決定装置およびサポートのうちの1つが回転する。2. 前記サポートおよび前記位置決定装置のうちの1つが、前記光軸の周りに螺旋状に傾斜したスキッドを有し、さらに前記位置決定装置が、前記スキッドから離れた迫持台を有する、文1のカメラアセンブリ；前記調整装置は、前記迫持台に係合している；そして、前記カバーガラスは、前記位置決定装置を、前記スキッドに対する前記サポートおよび前記位置決定装置の、それぞれの多数の異なる方向に回転させる。3. 前記スキッドが、前記サポートの一部であり、および前記カメラアセンブリが、前記スキッドの前記各方向に、前記サポートからの異なる分離での前記スキッドに対して位置決め可能なレンズホルダーをさらに含む、文2のカメラアセンブリ。4. 前記スキッドが、前記位置決定装置の一部であり、前記カメラアセンブリが、前記スキッドに対する伸長位置と、前記スキッドへの離れた関係での収縮位置との間で、前記光軸に沿って移動可能なレンズバレルをさらに含む、文2のカメラアセンブリ。5. 前記レンズバレルが、前記光軸の周りで回転可能でない、文4のカメラアセンブリ。6. 前記サポートが、マウント、および前記マウントから前方に延びるガイドを有し、前記ガイドは前記光軸と整列した中央経路を有し、前記レンズバレルは前記マウントに対する伸長位置と収縮位置との間の前記中央経路に沿い移動可能なであり、前記ガイドは前記中央経路から離れたアクセスウエイを有し、前記調整装置は前記位置決定装置へ前記アクセスウエイを貫いて延びている、文5のカメラアセンブリ。7. 前記レンズバレルが、前記伸長位置内で、前記収縮位置内の前記位置決定装置に対する離れた関係で、前記位置決定装置に対して配列される。文6のカメラアセンブリ。8. 前記ガイドが、前記マウントに対して回転可能でない、文6のカメラアセンブリ。9. 前記レンズバレルが、前記光軸の周りで回転可能でない、文8のカメラアセンブリ。10. 前記スキッドが、前記サポートの内部に配置され、前記迫持台が前記スキッドから軸方向に外向きに配置された、文3のカメラアセンブリ。11. 前記迫持台が、前記光軸に平行に延びる、文3のカメラアセンブリ。12. 前記サポートが、マウントおよび前記マウントから前方に延びるガイドを有し、前記ガイドは前記光軸と整列した中央経路を有し、前記ガイドは前記中央経路から離れたアクセスウエイを有し、前記調整装置は前記位置決定装置へ前記アクセスウエイを貫いて延びる、文1のカメラアセンブリ。13. 前記ガイドが、前記マウントに対して回転可能でない、文12のカメラアセンブリ。14. 前記カバーガラスが、ワンピースプラスチック注入成形である、文1のカメラアセンブリ。15. 前記ウィンドウが、曲がっており、いかなる光学倍率も有し��い、文14のカメラアセンブリ。16. 以下を含むカメラアセンブリ；光軸を形成するマウント；前記マウントから前方に伸びるガイド、前記ガイドは前記光軸に整列した中央経路、および前記中央経路から外向きに放射状に配列されたアクセスウエイを有する；前記ガイドに取り付けられた走行止め、前記走行止めは前記光軸の周りで旋回可能であり、前記走行止めは前記マウントに向かって傾斜した斜面および前記アクセスウエイと整列した迫持台を有する；前記斜面により区切られた伸長位置と、前記走行止めに対して離れた収縮位置との間で前記中央経路に沿って可動であるレンズバレル；および、前記ガイド上に取り付けられたカバーガラス、前記カバーガラスは前記経路上に配列されたウィンドウおよび前記ウィンドウに結合した調整装置を有し、前記調整装置は前記迫持台へ前記アクセスウエイを貫いて延び、前記カバーガラスは前記光軸の周りで前記調整装置および前記迫持台と共に旋回可能である；それにより前記カバーガラスを回転させると、前記伸長位置は、前記マウントに対し、前記光軸に沿って再配置される。17. 前記レンズバレルが、前記伸長位置で前記スキッドと接触する、文16のカメラアセンブリ。18. 前記走行止めが、1つ以上の斜面を有し、前記各斜面は前記サポートに向かって傾き、および前記レンズバレルは前記伸長位置内の前記斜面に係合する、文16のカメラアセンブリ。19. 前記レンズバレルが、前記中央経路内に配列された主要部分、および前記主要部分から外向きに突出した多数のトラックフォロアを有し、前記レンズバレルが前記伸長位置にあるとき、前記トラッカフォロアはそれぞれの前記斜面と係合する、文18のカメラアセンブリ。20. 前記スキッドが、前記ガイドの内部に配置される、文16のカメラアセンブリ。21. 前記ガイドが、前記レンズバレルの回転をブロックする、文16のカメラアセンブリ。22. 前記ガイドが前向きリムを有し、前記走行止めが前記前向きリムに取り付けられている、文16のカメラアセンブリ。23. 前記アクセスウエイが前記前向きリムを貫いて伸び、さらに前記迫持台が前記アクセスウエイ内に配列される、文22のカメラアセンブリ。24. 以下を含むカメラアセンブリ；光軸を形成するマウント;前記マウントから前方に延びるガイド、前記ガイドはアクセスウエイを有する前向きリムを有する；前記前向きリムにマウントされた走行止め、前記走行止めは前記ガイドに対して内部に配列されたスキッドを有し、前記スキッドは前記サポートに向かって傾斜した少なくとも1つの斜面を有し、前記走行止めは前記光軸の周りで前記ガイドに対して旋回可能である；伸長位置と収縮位置との間で前記光軸に沿って前記マウントに対して可動なレンズバレル、前記伸長位置は前記レンズバレルおよび前記スキッドの係合により定められる；および、前記ガイド上に取り付けられたカバーガラス、前記カバーガラスは前記経路上に配列されたウィンドウ、および前記ウィンドウに結合した調整装置を有し、前記調整装置は前記アクセスウエイ内に配列され、前記カバーガラスは、前記走行止めと係合すると、前記光軸の周りで旋回可能である。25. 文19のカメラアセンブリ、および、そこで、前記スキッドが、前記走行止めの周りに等しい角度間隔で配列され、前記マウントに対���て等しい角度で傾斜している、多数の斜面を有し；さらに、前記レンズバレルが、前記伸長位置内の各々の前記斜面に係合する。26. 以下を含むカメラアセンブリ；光軸を形成するマウント;前記マウントから前方に延びるガイド、前記ガイドは前向きリムを有し、前記ガイドは中央経路を囲み、前記ガイドは前記前向きリムを貫いて延びるアクセスウエイを有し、前記アクセスウエイは前記中央経路から放射状に外向きに配列される；前記中央経路を囲む走行止め、前記走行止めは前記アクセスウエイ内に配列した迫持台を有し、前記走行止めは前記ガイドの内部に配列した多数の斜面を有し、前記斜面は離れ、前記斜面は前記サポートに向かって等しく傾いている；前記中央経路内に配列した主要部分、および前記主要部分から外向きに突出する多数のトラックフォロアを有するレンズバレル、前記レンズバレルは前記マウントに対して伸長位置と収縮位置との間で前記光軸に沿い可動であり、前記トラックフォロアはそれぞれが前記伸長位置内のそれぞれの前記斜面に係合した。27. 走行止めが前記ガイドに接着された、文26のカメラアセンブリ。28. 前記ガイドが、前記マウントにスナップされた、文27のカメラアセンブリ。
【図面の簡単な説明】
【００９７】
【図１】部分的に分解された、カメラの実施例の正面斜視図である。
【図２】図1のカメラの正面斜視図である。
【図３】図1のカメラのレンズモジュールの、部分的に分解された正面斜視図である。
【図４】図1のカメラのレンズバレルの分解正面斜視図である。
【図５】図3のレンズモジュールのサポートの斜視図である。
【図６】図5のサポートの分解図である。
【図７】図5のサポートの側面図である。また、タレットも示されている。
【図８】図1のカメラのレンズモジュールの、部分的切欠斜視図である。レンズバレルは、伸長位置に示されている。タレットは第1の位置にある。シャッターは、図8から図10では閉じられている。
【図９】図8と同じ図であるが、レンズバレルは中間位置に示されている。タレットは、第1の位置と第2の位置との間の中間位置にある。
【図１０】図8と同じ図であるが、レンズバレルは、収縮位置に示されおり、タレットは第2の位置にある。
【図１１】カメラの他の実施例の半図式平面図である。レンズバレルは、伸長位置に示されている。
【図１２】図11と同じ図であるが、レンズバレルは収縮位置に示されている。
【図１３】図1のフレームアセンブリの斜視図である。フレームアセンブリは、フレーム、フィルム搬送、シャッター、およびタレットを含んでいる。シャッターは閉位置にあり、タレットは第2の位置にある。
【図１４】図13のフレームアセンブリの部分的正面図である。
【図１５】図14と同じ図であるが、シャッターが開位置にある。
【図１６】図1のカメラのレンズバレルの部分的切欠側面図である。
【図１７】図1のカメラのレンズバレルの背面斜視図である。バッカー（backer）は示されていない。タレットは第1の位置にある。シャッターは、図17から図19には示されていない。
【図１８】図17と同じ図であるが、タレットは第2の位置にある。
【図１９】図1のカメラのレンズバレルの部分分解背面斜視図である。
【図２０】本カメラの他の実施例の、単純化した分解斜視図である。明瞭さのために、オーバーセンター機構および関連部分のみが示されている。
【図２１】図20のカメラのアクチュエータベース、サポート、およびツイストリングの正面図である。ツイストリングは、広角位置に示されている。
【図２２】図21と同じ図であるが、ツイストリングは望遠位置に示されている。
【図２３】図20の展開装置（deployment apparatus）の部分断面図である。ツイストリングは、望遠位置にある。
【図２４】図20のカメラの、カメラフレーム、サポート、およびアクチュエータベースの正面図である。
【図２５】アクチュエータベースを示した、図24の部分拡大図である。
【図２６】アクチュエータの内部サブユニットが示されている他は、図25と同じ図である。
【図２７】図20のカメラのアクチュエータの正面図である。アクチュエータの外部サブユニットは破線によって示されている。
【図２８】図20のカメラのアクチュエータの側面図である。
【図２９】図20のカメラのドライブユニットの斜視図である。
【図３０】図29のドライブユニットの正面図である。
【図３１】図29のドライブユニットの背面図である。
【図３２】図29のドライブユニットの底面図である。
【図３３】図1のカメラの前部走行止めの正面斜視図である。カバーガラスの一部は破線で示されている。
【図３４】図1のカメラのレンズモジュールの、部分切欠正面斜視図である。
【図３５】図1のカメラのレンズモジュールの、部分切欠側面図である。
【図３６】本カメラの他の実施例のフレームアセンブリの正面斜視図である。カバーガラスは、レンズモジュールから分離して示されている。
【図３７】図36のフレームアセンブリの正面図である。
【図３８】本カメラの他の実施例の部分断面図である。
【図３９】図38の前部レンズホルダーおよび前部レンズの正面図である。
【図４０】本カメラの他の実施例の前部レンズホルダーの正面斜視図である。
【図４１】図1のカメラのシャッター機構、フィルム搬送、および他の関連部分の平面図である。シャッターは閉位置にある。
【図４２】図41と同じ図であるが、シャッターは開位置にある。
【図４３】シャッターが開位置に示された、図42と同一機構の平面図である。
【図４４】図42から図43のシャッターおよびシャッタードライバの斜視図である。
【図４５】図36のフレームアセンブリの断面図である。シャッターは開位置にあり、そのため、この図では目視出来ない。
【符号の説明】
【００９８】
１０  カメラ、１２  フレームアセンブリ、１６  前カバー、１８  後カバー、２０  フレーム、２２  レンズモジュール、２４  サポート、２６  マウント、２８  ガイド、３０  フック、３２  キャプチャユニット、３４  フィルム搬送、３６  フラッシュユニット、３８  光軸、４０  中央経路、４２  後向きリム、４４  前向きリム、４６  中央開口部、４８  マスキング構造、５０  レンズバレル。
【図１】
2004354992.tif 000003
【図２】
2004354992.tif 000004
【図３】
2004354992.tif 000005
【図４】
2004354992.tif 000006
【図５】
2004354992.tif 000007
【図６】
2004354992.tif 000008
【図７】
2004354992.tif 000009
【図８】
2004354992.tif 000010
【図９】
2004354992.tif 000011
【図１０】
2004354992.tif 000012
【図１１】
2004354992.tif 000013
【図１２】
2004354992.tif 000014
【図１３】
2004354992.tif 000015
【図１４】
2004354992.tif 000016
【図１５】
2004354992.tif 000017
【図１６】
2004354992.tif 000018
【図１７】
2004354992.tif 000019
【図１８】
2004354992.tif 000020
【図１９】
2004354992.tif 000021
【図２０】
2004354992.tif 000022
【図２１】
2004354992.tif 000023
【図２２】
2004354992.tif 000024
【図２３】
2004354992.tif 000025
【図２４】
2004354992.tif 000026
【図２５】
2004354992.tif 000027
【図２６】
2004354992.tif 000028
【図２７】
2004354992.tif 000029
【図２８】
2004354992.tif 000030
【図２９】
2004354992.tif 000031
【図３０】
2004354992.tif 000032
【図３１】
2004354992.tif 000033
【図３２】
2004354992.tif 000034
【図３３】
2004354992.tif 000035
【図３４】
2004354992.tif 000036
【図３５】
2004354992.tif 000037
【図３６】
2004354992.tif 000038
【図３７】
2004354992.tif 000039
【図３８】
2004354992.tif 000040
【図３９】
2004354992.tif 000041
【図４０】
2004354992.tif 000042
【図４１】
2004354992.tif 000043
【図４２】
2004354992.tif 000044
【図４３】
2004354992.tif 000045
【図４４】
2004354992.tif 000046
【図４５】
2004354992.tif 000047